(57)【要約】【課題】ネットワーク接続可能なビデオカメラにおいて、ローカルおよびサーバー側のストレージの有効利用を図る。【解決手段】ビデオカメラにローカルなストレージ装置４と、ネットワーク接続回路５を設け、ネットワーク接続回路５により外部のネットワーク接続装置９とデータ通信を行い、映像データをサーバー側のネットワーク端末機器９へ送信し、送信済みの映像データはその一部あるいは全部をストレージ装置４から消去し、ネットワーク端末機器９上の映像データへのアクセス情報のみをストレージ装置４内に記録する。【選択図】  図１
2004194130.tif 000002
【特許請求の範囲】
【請求項１】
映像を取り込んで第１の映像データを生成する撮像手段と、
該映像データを所定の映像データフォーマットに準拠した第２の映像データへ変換あるいは逆変換するコーデック手段と、
外部のネットワーク機器に接続するネットワーク接続手段と、
上記第二の映像データを記録媒体に対して記録・再生するストレージ手段と、
上記撮像手段、ネットワーク接続手段、ストレージ手段、コーデック手段、を制御するシステム制御手段と、を備え、
上記ネットワーク接続手段により外部のネットワーク接続機器と接続して上記第２の映像データを上記外部のネットワーク接続機器へ送信し、送信した第２映像データの一部あるいは全てを上記記録媒体から削除して上記外部のネットワーク接続機器に記録されている第２の映像データへのアクセス情報を上記記録媒体に記録することを特徴とするビデオカメラ。
【請求項２】
前記アクセス情報に基づいて前記外部のネットワーク接続機器にアクセスし、前記アクセス情報に対応する映像データをネットワーク経由でダウンロードして前記記録媒体に格納する機能を有することを特徴とするビデオカメラ。
【請求項３】
前記記録媒体として、前記ビデオカメラに対して着脱可能な記録媒体を用いることを特徴とする請求項１記載のビデオカメラ。
【請求項４】
着脱可能な記録媒体に情報を記録するストレージ手段と、
ネットワーク接続を行うネットワーク接続手段とを有するビデオカメラにおいて、
上記記録媒体にネットワークで接続可能なネットワーク端末内のデータへのアクセス情報を記録することを特徴としたビデオカメラ。
【請求項５】
着脱可能な記録媒体に情報を記録するストレージ手段と、
ネットワーク接続を行うネットワーク接続手段とを有するビデオカメラにおいて、
上記記録媒体にはネットワークで接続可能なネットワーク端末内のデータ格納場所へのアクセス情報が予め記録してあり、その情報に基づいて上記ネットワーク接続手段によりネットワーク接続を行い、撮影した映像データを送信し、上記データ格納場所への保存を要求することを特徴としたビデオカメラ。
【請求項６】
請求項４に記載のビデオカメラにおいて、
上記アクセス情報にはユーザを識別するためのユーザ識別情報が含まれることを特徴としたビデオカメラ。
【発明の詳細な説明】
【０００１】
【発明の属する技術分野】
映像データを記録するビデオカメラに関し、特にネットワーク接続が可能なビデオカメラに関する。
【０００２】
【従来の技術】
近年、インターネットが普及し、家庭用ビデオカメラにおいてもインターネットを利用して静止画データをメール形式で送信する機能を有するものが製品化されている。記録媒体（メディア）としては各種ビデオテープ、最近ではDVDディスクを使用した家庭用ビデオカメラが登場している。いずれのメディアを使用しても、撮影可能な時間は概ね1時間程度である。家庭用のビデオカメラは主に携帯（モバイル）用途のため、小型、軽量化が求められ、メディアのサイズも小型のものが必要となっている。
【０００３】
また、パソコンと接続するためのインターフェースを備えたビデオカメラが提案されている。このビデオカメラではインターフェースとしてUSB（Universal Serial Bus）が示されている。撮影した映像データはパソコンを経由してインターネットへ送出されることが示されている。インターネットへのデータ送信をしやすくするため、映像データは圧縮符号化手段によりデータ量が削減されている。圧縮符号化するもうひとつの理由は、内部のストレージ手段により長い時間の映像データを記録するためである。
【０００４】
【特許文献１】
特開２００１−３５２４７１号公報
【０００５】
【発明が解決しようとする課題】
従来技術においては、ビデオテープあるいはディスクメディア等のローカルメディアに映像を記録するため、１つのメディアに対しては一定時間あるいは一定容量の映像までしか記録できなかった。このため、一定時間あるいは一定容量を超えて撮影を行うためには複数個のメディアを携帯し、必要に応じて交換する必要があった。旅行等の出先において予備のメディアを十分に確保できない場合、メディアが不足して撮影時間に制限を受ける結果となっていた。
【０００６】
また、複数個のメディアに映像を記録した場合には、所望の映像の検索に手間がかかっていた。所望の映像をビデオカメラで再生するためには、ユーザがメディアに貼り付けたラベル情報を目視することにより記録されたメディアを特定し、メディアを交換する必要があった。
【０００７】
本発明の目的は、ネットワークを使用することにより、ローカルメディアとして少ない容量のメディアを使用しても、長時間の映像の記録を可能とすることである。
【０００８】
本発明のもうひとつの目的は、大量の映像データへのアクセスを容易にすることである。
【０００９】
【課題を解決するための手段】
上記目的を達成する手段の１つとして、本発明では、ビデオカメラにローカルなストレージ手段と、ネットワーク接続手段を設け、該ネットワーク接続手段により外部のネットワーク接続機器とデータ通信を行い、映像データを該ネットワーク接続機器へ送信し、送信済みの映像データはその一部あるいは全部をローカルなストレージ手段から消去し、上記ネットワーク接続機器上の映像データへのアクセス情報のみをローカルなストレージに記録する。
【００１０】
【発明の実施の形態】
以下、本発明の一実施形態を説明する。
【００１１】
図1は、本発明の第一の実施形態であるネットワークを利用するビデオカメラ１０を用いたネットワークシステムの構成を示すブロック図である。撮像装置１は、映像（音声を含む）を取り込み、第１の映像データを生成する。コーデック回路２は、第１の映像データを所定の映像データフォーマットに準拠した第２の映像データに変換し、また第２の映像データを第１の映像データに逆変換する。表示装置３は、撮像手段１によって生成された第１の映像データもしくはコーデック手段２により逆変換された第１の映像データを表示する。ストレージ装置４は、装着された記録媒体に対して第２の映像データをファイル形式で記録すし、また、記録媒体に記録されている第２の映像データを再生する。ネットワーク接続回路５は、ビデオカメラ１０を、ネットワーク８を介してネットワーク端末装置９に接続する。システム制御処理回路６は、ビデオカメラ１０を構成する各要素を制御する。ユーザによる映像を記録、再生、あるいはネットワーク経由でのファイル交換等のビデオカメラ１０の操作は、操作パネル７を操作することにより行う。
【００１２】
ビデオカメラ１０により映像記録を行う記録媒体は２つある。１つはストレージ装置４に装着された記録媒体であり、もうひとつはネットワーク８を介して接続したネットワーク端末装置９内の記録媒体である。ネットワーク８は有線あるいは無線の物理レイヤーで構成するIP（インターネットプロトコル）ネットワークを使用する。ネットワーク８にはインターネット、LAN（ローカルエリアネットワーク）が含まれる。ネットワーク端末装置９は、ストレージ装置４内の記録媒体の容量を越える映像データの保存が可能である。ネットワーク端末装置９は、図1では1台のみ図示したが、ネットワーク８を介して接続されていれば、複数台の装置を使用することが可能である。
【００１３】
ビデオカメラ１０の具体的な動作について説明する。撮像装置１は被写体１０の映像を取り込んで第１の映像データを生成し、コーデック回路２および表示装置３に送る。表示装置３はビューファインダーあるいは液晶パネルといったものであり、ユーザが現在撮影している映像を確認するものである。表示装置３は、撮影した映像を後で再生する手段としても使用する。
【００１４】
コーデック回路２は映像データの圧縮・復号回路であり、例えば第１の映像データをMPEG(Moving Picture Expert Group)圧縮して第２の映像データにし、第２の映像データを復号して第１の映像データにする。撮像装置１の出力する第１の映像データはストレージ手段４に保存する、あるいはネットワークへ送出するためにはデータ量が膨大となるため使用できない。それをコーデック回路２により圧縮符号化した後、ストレージ装置４に記録再生する。コーデック回路２は撮影時には圧縮を行い、再生時には復号化を行う。この切り替えはシステム制御回路６の制御により行う。再生時、コーデック回路２が復号した第１の映像データは表示装置３へ送られ、表示される。
【００１５】
ストレージ装置４は、第２の映像データを保存する装置であり、例えばハードディスクドライブ、あるいはビデオカメラ１０に対して着脱可能なメモリカードドライブあるいは書き換え可能DVDドライブである。ストレージ装置４の要件としては、コーデック回路２の出力する第２の映像データのデータ出力レートを超える書込み速度および読み出し速度を有するブロックデバイスである。撮影中に記録済みの映像データを再生可能なように、映像のデータレートに対して2倍以上の高速処理が可能なドライブを使用することが好ましい。ストレージ装置４には所定のファイルシステムに準拠したファイル形式で映像データを保存する。
【００１６】
ネットワーク接続回路５は、ネットワーク８を介してネットワーク端末装置９にビデオカメラ１０を接続するものである。有線あるいは無線での接続を行う。有線方式は現在LANで使用されているethernet互換のものを使用する。無線方式ではIEEE-802.11aあるいは同bのような無線LAN方式あるいは携帯電話で使用している無線方式を使用する。
【００１７】
ネットワーク接続回路５が同時に複数の接続方式を実現するように構成してもよい。すなわち、ethernet用の端子と無線接続用のアンテナを同時に内蔵するように構成してもよい。
【００１８】
ネットワーク８はLANあるいはインターネットである。図示していないが、ビデオカメラ１０をネットワーク８に接続するために、ルータ等のLAN接続機器あるいた無線アクセスポイントあるいは携帯電話のアンテナが介在する。
【００１９】
ビデオカメラ１０がネットワーク８を経由して接続するネットワーク端末装置９は、例えば個人のパソコンあるいは商用のサーバ等のコンピュータであり、大容量の記録媒体を備えたものである。
【００２０】
ストレージ装置４の記録媒体にファイル形式で記録された映像データは、システム制御回路６の制御によってストレージ装置４が読み出し、ネットワーク接続回路５によりネットワーク８経由でネットワーク端末装置９の記録媒体に書き込む、すなわち、ファイル転送が行われる。なお、ネットワーク端末装置９にアクセスする際には必要な認証作業を行う。システム制御回路６は上記ファイル転送が正常に終了したことを確認し、ストレージ装置４内の記録媒体に記録されているオリジナル映像データのファイルに変更を加える。
【００２１】
上記変更には、オリジナル映像のサムネイル画像データの生成と、ネットワーク端末装置９に保存した映像データのファイルへのアクセス情報の記録と、サムネイル画像データ以外のオリジナル映像データのファイルの削除が含まれる。
【００２２】
サムネイル画像とは、その映像の代表的な静止画画像である。通常、撮影開始のシーンを使用する。サムネイル画像は1枚の静止画であり、本編の動画像に比べれば、そのデータ容量は非常に小さい。サムネイル画像には、撮影条件、記録時間等の映像情報を付加して記録する。別の表現をすれば、サムネイル画像を含め、撮影条件、記録時間等の映像情報を記録することである。
【００２３】
上記のように、ストレージ装置４内の記録媒体に記録してあった映像データの主要部分は、上記ファイル転送に伴い削除する。これにより、削除した映像データが使用していたストレージ装置４内の記録媒体のデータ記憶領域は開放され、新しい映像データの格納場所として使用することができる。
【００２４】
ストレージ装置４に高速のドライブを使用し、ネットワーク８に接続可能な環境において撮影を行う場合、撮影しながら上記ネットワーク端末装置９とのファイル交換を行うことも可能である。この場合、ビデオカメラ１０はストレージ装置４を一時的なストレージとして使用し、最終的なストレージとしてネットワーク端末装置９を大容量ストレージとして使用して動作する実施形態となる。
【００２５】
上記動作が一定期間以上安定的に動作した場合、安定的なネットワーク接続が確保できるものと仮定して、上記ネットワーク端末装置９の記録容量をビデオカメラ１０の記録容量の一部に組み入れる。すなわち、ビデオカメラ１０の記録容量にネットワーク端末装置９の記録容量を加えて、記録可能なデータ残量あるいは残りの撮影時間をユーザに表示する（表示装置３の液晶パネル等に表示する）。この結果として、撮影可能時間は増加することになる。
【００２６】
撮影した映像の映像データがネットワーク端末装置９側に移動した後も、ユーザはその映像データのサムネイル画像により、自分がどのような映像を撮影したかを知ることができる。
【００２７】
また、ネットワーク端末装置９の記録媒体に移動した映像データは、ユーザ操作により、ストレージ装置４の記録媒体に復元することができる。この動作は、上記のファイル交換すなわちビデオカメラ１０からネットワーク端末装置９へのファイル転送と逆方向のプロセスである。ストレージ装置４の記録媒体には上記ネットワーク端末装置９の記録媒体に移動した映像データのファイルへのアクセス情報が残されている。この情報に基づいてビデオカメラ１０からネットワーク端末装置９へのネットワークアクセスを行い、ネットワーク８経由のファイル転送を実行し、取得した映像ファイルをストレージ装置４の記録媒体に書き込む。
【００２８】
上記のようにストレージ装置４内に映像ファイルを復元することにより、これを読みだして表示装置３の液晶パネル上に、ネットワーク端末装置９内に記録されている映像データの表示を行うことができる。なお、高速のドライブを使用することで、上記ファイルの復元と読み出しを同時に実行して、それらをシームレスに動作させることができる。
【００２９】
図2は第一の実施例のシステムコントローラ６の構成例である。
２１はCPU、２２はCPUバス、２３はワークメモリ、２４はROMである。ROM24にはCPU２１のプログラムおよび固定データを格納する。CPU２１はバス２２に接続したROM２４からプログラムおよびデータを読み出し、ワークメモリ２３を使用して動作する。本装置の他のサブシステムはCPUバス２２を経由してシステムコントローラ６と接続し、制御される。たとえば、ユーザ操作は操作パネル７のボタン操作として入力され、それをCPU２１がCPUバス２２経由で読み取る。
【００３０】
図３は撮像手段１の構成例である。３１はレンズを含む光学系、３２はCCDセンサー、３３はビデオ信号処理回路、３４は映像データの出力端子、３５は通信端子、３６はCPU（マイクロコンピュータ）である。CPU36は、システムコントローラ内部のCPU２１とは別物であり、撮像手段１の制御に専念するCPUである。CPU３６は光学系３１、CCDセンサー３２、ビデオ信号処理回路３３を制御して、第１の映像データを端子３４より出力する。CPU３６は通信端子３５によりシステム制御回路６と通信して、システム制御回路６の指示に従った動作を行う。
【００３１】
図4はストレージ装置４の記録媒体に記録される映像データのファイル構成を示すものである。４１はディレクトリ、４２はデータ管理情報ファイル、４３は映像ファイル（１つあるいは複数のファイルを示すため４３−１、４３−Nと表記する。）、４３はアクセス情報ファイル、４５はサムネイルファイルである。
【００３２】
ディレクトリ４１以下に映像データを記録する。記録は所定のファイルシステムに準拠して行う。ファイルシステムとしてはFATあるいはUDF(Universal File System)を用いる。詳細を後述するデータ管理情報ファイルは、１つあるいは複数の映像ファイルおよびアクセス情報ファイルの管理情報を記録するファイルであり、ディレクトリ４１に１つだけ存在する。映像ファイルは、撮影した映像データである。アクセス情報ファイルは、撮影した映像ファイルをネットワーク端末装置９に移動した場合に生成するネットワーク上の映像ファイルへのアクセス方法を記録したファイルである。サムネイルファイル４５は撮影した映像のサムネイル画像をひとつのファイルにまとめたものであり、ストレージ４のすべての映像データをユーザに迅速に提示するためのファイルである。
【００３３】
図５はストレージ装置４およびネットワーク端末装置９を用いて上記ファイルをいかに格納するか、そのデータ格納方法を示す図である。５０はストレージ装置４内の記録媒体の記憶領域、５１および５２は２つのネットワーク端末装置９（以下では、それぞれサーバ１、サーバ２と呼ぶ）内の記録媒体の記憶領域である。
【００３４】
５０から５２のそれぞれの記憶領域にデータ管理情報ファイルｍ０からｍ２がある。ｆ１、ｆｐ、ｆｑ、ｆｎはストレージ４内の記録媒体に格納した映像ファイルである。映像ファイルｆ１およびｆｎは映像データそのものを含んでいる。一方、ｆｐ、ｆｑはそれぞれサーバ１、サーバ２に映像データが格納されているため、サムネイルを含む映像情報のみを格納した映像ファイルである。ｆｐ’、ｆｑ’はそれぞれｆｐ、ｆｑに対応し、サーバ１、サーバ2に記録した映像データそのものである。映像データそのものをサーバ１あるいはサーバ２に置くことにより、対応するストレージ装置４内の記録媒体のデータ使用領域を大幅に削減することが出来る。なお、図5ではアクセス情報ファイル他のファイルの表示は省略している。
【００３５】
図６はサーバ１に格納した映像をストレージ４に復元する際の動作を示すものである。図5の場合と同様、５０はストレージ装置４内の記録媒体の格納領域、５１はサーバ１内の記録媒体の格納領域を示している。ｆｐとｆｐ’は対応する映像ファイルである。ｆｐの映像を復元する場合は、データ管理情報ファイルｍ０を参照し、対応するアクセス情報ファイルipを見つける。アクセス情報ファイルipにはサーバ１に格納したファイルｆｐ’のアクセス方法が記述されており、それにしたがってネットワークアクセスを行う。ファイル転送した映像データは、未使用の格納エリアに映像ファイルｆｐ''として格納する。ファイル転送が正常に終了した場合、ファイルｆｐは削除する。
【００３６】
図7は第一の実施形態におけるビデオカメラ１０からネットワーク端末装置９へのファイル転送、すなわちアップロード時のフローチャートを示すものである。処理の結合端子（開始、終了を含む）は丸、処理は四角、条件分岐は菱型、データ入出力は平行四辺形で示す。
【００３７】
ステップ７０１の処理開始後、ステップ７０２でネットワークに接続しているか否かをシステム制御回路６が判断し、未接続であれば、ステップ７０３にてネットワーク接続のための初期化動作を行う。ステップ７０４でネットワーク接続回路５がネットワーク８へのネットワーク接続を試みる。ネットワーク接続が確立できない場合、接続エラーと判断して、ステップ７０６に進んでエラーメッセージ表示、エラー処理を実行する。そして、ステップ７１５に進んで一連の処理を終了する。
【００３８】
ネットワーク接続が確立した場合、ステップ７０７に進み、ファイル転送のための一連のネットワーク動作、すなわちセッションを開始する。まず、対応するアクセス情報ファイル７０８を読み取り、アクセス方法を入手する。
【００３９】
ここで、アクセス情報ファイル７０８は、ビデオカメラ１０内に予め記憶されているものである。ストレージ装置４内の記録媒体に記録しておいてもよいし、ユーザが操作パネルを用いて予めアクセス情報を入力してもよい。
【００４０】
入手したアクセス方法に従い、システム制御回路６は、ネットワーク接続回路５を制御してネットワーク端末装置９へのアクセスを試みる。ステップ７０９にてアクセスが許可されたか否かを判断し、アクセスが許可されたならば、ステップ７１０により、システム制御回路６は、ネットワーク接続回路５を制御して、ネットワーク端末装置９への上述のファイル転送処理を実行する。つまり、図５における映像ファイルｆｐ'、ｆｑ'をネットワーク端末装置９に転送する。一方、アクセスが許可されなかった場合にはステップ７０６に進み、エラーメッセージ表示、エラー処理を実行する。そしてステップ７１５に進んで一連の処理を終了する。
【００４１】
ステップ７１２ではファイル転送処理にエラーがあったか否かを判断する。エラーがあった場合にはステップ７０６に進み、エラーメッセージ表示、エラー処理を実行する。そしてステップ７１５に進んで一連の処理を終了する。一方、エラーがなければ、ステップ７１３に進む。ステップ７１３にて、システム制御回路６は、ネットワーク接続回路５を制御してネットワーク端末装置９から、ネットワーク端末装置９内の記録媒体に記録された映像ファイルへのアクセス方法を示すアクセス情報ファイルの生成に情報を受け取り、アクセス情報ファイルを更新する。そして、システム制御回路６は、ストレージ装置４を制御して、更新されたデータ管理情報ファイルを記録媒体に記録する。ステップ７１４でストレージ装置４内の映像ファイルを削除し、削除後、新たに対応する映像情報（サムネイル画像を含む）を記述した映像ファイルを生成する。これは図５ではｆｐあるいはｆｑに対応するものである。
【００４２】
図８は第一の実施形態におけるネットワーク端末装置９からビデオカメラ１０へのファイル転送、すなわちダウンロード時のフローチャートを示すものである。処理の結合端子（開始、終了を含む）は丸、処理は四角、条件分岐は菱型、データ入出力は平行四辺形で示す。
【００４３】
ステップ８０１の処理開始後、ステップ８０２でネットワークに接続しているか否かをシステム制御回路６が判断し、未接続であれば、ステップ８０３にてネットワーク接続のための初期化動作を行う。ステップ８０４でネットワーク接続回路５がネットワーク８へのネットワーク接続を試みる。ネットワーク接続が確立できない場合、接続エラーと判断して、ステップ８０６に進んでエラーメッセージ表示、エラー処理を実行する。そして、ステップ８１５に進んで一連の処理を終了する。
【００４４】
ネットワーク接続が確立した場合、ステップ８０７に進み、ファイル転送のための一連のネットワーク動作、すなわちセッションを開始する。まず、システム制御回路６はストレージ装置４を制御して内部の記録媒体から対応するアクセス情報ファイル８０８（図４における４４−１〜４４−Ｍ）を読み取り、アクセス方法を入手する。入手したアクセス方法に従い、システム制御回路６は、ネットワーク接続回路５を制御してネットワーク端末装置９へのアクセスを試みる。ステップ８０９にてアクセスが許可されたか否かを判断し、アクセスが許可されたならば、ステップ８１０により、システム制御回路６は、ネットワーク接続回路５を制御して、ネットワーク端末装置９から、上述のファイル転送処理を実行する。一方、アクセスが許可されなかった場合にはステップ８０６に進み、エラーメッセージ表示、エラー処理を実行する。そしてステップ８１５に進んで一連の処理を終了する。
【００４５】
ステップ８１２ではファイル転送処理にエラーがあったか否かを判断する。エラーがあった場合にはステップ８０６に進み、エラーメッセージ表示、エラー処理を実行する。そしてステップ８１５に進んで一連の処理を終了する。一方、エラーがなければ、ステップ８１３に進み、システム制御回路６は、ストレージ装置４を制御して、内部の記録媒体に記録されているデータ管理情報ファイルの更新を行う。
【００４６】
図９は、図４に示したデータ管理情報ファイル４２のフォーマットを示す図である。データ管理情報ファイル４２は、映像ファイル記述部９１０およびアクセス情報ファイル記述部９２０から構成されている。
【００４７】
映像ファイル記述部９１０の先頭にはヘッダー情報として、この記述部の長さを示す記述部データ長９１１、この記述部が映像ファイル記述部であることを示す記述部タイプ９１２、このディレクトリに含まれる映像ファイルの数を示す映像ファイル数９１３を記述する。映像ファイル数９１３はサーバーへファイル転送を行った映像ファイルも含まれる。属性情報９１４から９１５は個々の映像ファイルに対してＩＤ、ファイル名、ファイルタイプ、ロケーションＩＤが個々のファイル毎に記述される。ファイルタイプにより、本編の映像がサーバーへファイル転送されたか判別することができる。ロケーションＩＤとは、サーバーの格納場所を識別するためのコードであり、ファイル転送を行ったサーバー毎に作成する。
【００４８】
アクセス情報ファイル記述部９２０の先頭にはヘッダー情報として、この記述部の長さを示す記述部データ長９２１、この記述部がアクセス情報ファイル記述部であることを示す記述部タイプ９２２、このディレクトリに含まれるアクセス情報ファイルの数を示すアクセス情報ファイル数９１３を記述する。
【００４９】
サーバの格納場所毎の記述が９２４から９２５である。映像ファイル記述部の個々の映像ファイルの記述に含まれるロケーションＩＤは、この記述を参照して、対応するアクセス情報ファイル名を見つける。
【００５０】
図10は、図４に示した映像ファイル４３のフォーマットを示す図である。
映像ファイル４３は、ファイルヘッダー１０１０とコンテンツデータ１０２０から構成される。ファイルタイプ１０１２が本編のデータがローカルに記録された映像ファイルを示す場合、コンテンツデータは本編のデータである。ファイルタイプ１０１２が本編のデータがサーバーへ転送された映像ファイルを示す場合、コンテンツデータはサムネイル画像である。このサムネイル画像は、撮影の際に生成され、サムネイルファイルに格納される。サーバーへのファイル転送の際に、対応するサムネイル画像を上記サムネイルファイルから抽出し、コンテンツデータとして置換する。
【００５１】
図１１はアクセス情報ファイル４４のフォーマットを示す図である。
データ長１１１１とファイルタイプ１１２に続いて、サーバ名１１２０、サーバーアドレス１１２１、接続方法１１２２、認証データ１１２３が続く。サーバーアドレス１１２１はＩＰアドレスであり、ネームアドレスあるいは数字のＩＰアドレスの形式をとる。接続方法１１２２は有線あるいは無線ＬＡＮ接続、携帯電話ネットワークなど接続方法を識別するコードである。認証データはサーバへのログインＩＤとパスワードである。
【００５２】
図１２は、第２の実施形態である、ネットワークを利用するビデオカメラ１０を用いたネットワークシステムの構成を示すブロック図である。
ストレージ装置４の記録媒体として書き換え可能DVDのようなリムーバブルメディアを使用することを前提としたビデオカメラを使用し、そのリムーバブルメディアを使用するシステムを示したものである。
【００５３】
１２０１はビデオカメラ１０と同様の構成を備えたビデオカメラ、１２０２はネットワーク、１２０３はサービスプロバイダーのホストコンピュータ、１２０４は大容量ストレージ装置、１２０５はメディア販売機、１２０６はリムーバブルメディア、１２０７はユーザである。
【００５４】
ユーザ１２０７は、店頭に設置したリムーバブルメディアの自動販売機であるメディア販売機１２０５を使用してリムーバブルメディア１２０６を購入し、これをビデオカメラ１２０１に装着して撮影を行う。リムーバブルメディア１２０６には予め、事業者（サービスプロバイダ）が運営する大容量ストレージの使用権やサーバストレージ１２０４へのアクセス情報等が書き込まれており、リムーバブルメディア１２０６を装着することで、ネットワーク１２０２経由でサービスプロバイダの指定してあるサーバストレージ１２０４のどれかにアクセスするように設定される。
【００５５】
上記の使用権は、前記第一の実施例のアクセス情報ファイルに格納する認証データである。それが書き込まれたリムーバブルメディアを装着することにより、ビデオカメラ１２０１はサービスプロバイダの提供するサーバーストレージへのアクセスが許可される。
【００５６】
メディア販売機１２０５はメディアを販売する際、サーバーストレージの使用権が重複しないようネットワーク１２０２経由でサービスプロバイダのホストコンピュータ１２０３と交信を行う。ホストコンピュータ１２０３が許可した場合のみ、リムーバブルメディア１２０６にアクセス権を書き込んで販売する。
【００５７】
ホストコンピュータ１２０３にはネットワーク１２０２によりメディア販売機１２０５が複数接続している（図では１つのみを図示した）。ホストコンピュータ１２０３はサーバーストレージ１２０４のアクセス権が重複しないように管理し、複数のメディア販売機１２０５からのアクセス権発行要求を処理する。
【００５８】
図１３はメディア販売機１２０６の構成を示すブロック図である。１３０１はシステムコントローラ、１３１１から１３１３はリムーバブルメディアの操作に関するサブシステムであり、それぞれ、１３１１がリムーバブルメディアドライブ、１３１２がリムーバブルメディア保管装置、１３１３がメディア搬出口、１３２１から１３２４は金銭の清算処理に関係するサブシステムであり、それぞれ、１３２１が見本表示、１３２２が選択ボタン、１３２３が金銭投入口、１３２４が清算機、１３２５がつり銭払い戻し口である。
【００５９】
各サブシステムはシステムコントローラ１３０１によって制御して動作する。
金銭の清算に関するサブシステムの動作は以下のようになる。見本表示１３２１にリムーバブルメディアの商品見本を表示する。利用者は選択ボタン１３２２を押して、リムーバブルメディアの購入を指示する。このとき、金銭投入口１３２３より金銭が投入され、清算機１３２４で清算処理が行われ、つり銭がある場合にはつり銭払い戻し口１３２５より払い戻しを行う。図示していないが、受取証の発行する機能も内蔵する。つり銭投入口は現金のみならず、クレジットカードの受付を可能とすることも可能である。その場合には、清算機１３２４に暗証番号入力のための数字キー入力装置を含める必要がある。そして、ネットワークインターフェース１３３０を経由して、清算処理に関するホストコンピュータと接続して個人認証、清算処理を実行する。清算処理にエラーが発生した場合はリムーバブルメディアにアクセス権の書込みは行わず、メディアの搬出も行わない。
【００６０】
清算機１３２４での清算処理が正常に完了した場合、システムコントローラ１３０１はリムーバブルメディア保管庫１３１２に保管してある複数のリムーバブルメディアより１つのリムーバブルメディアを取り出し、リムーバブルメディアドライブ１３１１へ搬送する。この段階でのリムーバブルメディアには、未だサーバーストレージのアクセス権は書き込まれていない。システムコントローラ１３０１はネットワークインターフェース１３３０を制御してサービスプロバイダのホストコンピュータと交信し、アクセス権に関するデータを入手する。システムコントローラ１３０１は入手したアクセス権データをリムーバブルメディアドライブ１３１１を制御して書込み処理する。この書込みが正常に完了したことを確認して、リムーバブルメディアをメディア搬出口１３１３に搬送する。
【００６１】
利用者はメディア搬出口１３１３よりサーバーストレージのアクセス権が書き込まれたリムーバブルメディアを受け取る。
【００６２】
【発明の効果】
本発明によれば、ビデオカメラで撮影した映像データの一部あるいは全部がサーバーへ移動するので、ビデオカメラが持つ記録媒体の記録容量を超える長時間の撮影が可能なビデオカメラを実現することができる。
【図面の簡単な説明】
【図１】図１は、本発明の第一の実施形態であるネットワークを利用するビデオカメラ１０を用いたネットワークシステムの構成を示すブロック図である。
【図２】図２は、ビデオカメラ１０内のシステム制御回路６の構成を示す図である。
【図３】図３は、ビデオカメラ１０内の撮像装置１の構成を示す図である。
【図４】図４は、ストレージ装置４の記録媒体に記録される映像データのファイル構成を示す図である。
【図５】図５は、ストレージ装置４およびネットワーク端末装置９を用いたデータ格納方法を示す図である。
【図６】図６は、サーバー１に格納した映像をストレージ４に復元する際の動作を示す図である。
【図７】図７は、第一の実施形態におけるビデオカメラ１０からネットワーク端末装置９へのファイル転送、すなわちアップロード時のフローチャートを示す図である。
【図８】図８は、第一の実施形態におけるネットワーク端末装置９からビデオカメラ１０へのファイル転送、すなわちダウンロード時のフローチャートを示す図である。
【図９】図９は、データ管理情報ファイル４２のフォーマットを示す図である。
【図１０】図１０は、映像ファイル４３のフォーマットを示す図である。
【図１１】図１１は、アクセス情報ファイル４４のフォーマットを示す図である。
【図１２】図１２は、第２の実施形態である、ネットワークを利用するビデオカメラ１０を用いたネットワークシステムの構成を示すブロック図である。
【図１３】図１３は、メディア販売機１２０６の構成を示すブロック図である。
【符号の説明】
１…撮像装置、２…コーデック回路、３…表示装置、４…ストレージ装置、５…ネットワーク接続回路、６…システム制御回路、７…操作パネル、８…ネットワーク、９…ネットワーク端末装置、１０…ビデオカメラ。
【図１】
2004194130.tif 000003
【図２】
2004194130.tif 000004
【図３】
2004194130.tif 000005
【図４】
2004194130.tif 000006
【図５】
2004194130.tif 000007
【図６】
2004194130.tif 000008
【図７】
2004194130.tif 000009
【図８】
2004194130.tif 000010
【図９】
2004194130.tif 000011
【図１０】
2004194130.tif 000012
【図１１】
2004194130.tif 000013
【図１２】
2004194130.tif 000014
【図１３】
2004194130.tif 000015